(57)【要約】【課題】  主索と主索外れ止め装置本体との間隔調整を簡略化できるエレベータの主索外れ止め装置を得る。【解決手段】  回転体1と、回転体1の外周面上に設けられた溝3と、溝3に巻き付けられる主索2と、回転体1の外周面上に主索2との間隔が規定値以下となるように設けられ、地震等の振動時に主索2が溝3から外れるのを防ぐ主索外れ止め装置本体4と、主索外れ止め装置本体4の主索2と対向する側に主索2と接触するように設けられ、主索2を傷つけることなく初期摩耗する非金属材料からなる当板5とを備える。【選択図】  図1
2006335561.tif 000002
【特許請求の範囲】
【請求項１】
回転体と、
この回転体の外周面上に設けられた溝と、
この溝に巻き付けられる主索と、
前記回転体の外周面上に前記主索との間隔が規定値以下となるように設けられ、地震等の振動時に前記主索が前記溝から外れるのを防ぐ主索外れ止め装置本体と、
前記主索外れ止め装置本体の前記主索と対向する側に前記主索と接触するように設けられ、前記主索を傷つけることなく初期摩耗する非金属材料からなる当板と、を備えたことを特徴とするエレベータの主索外れ止め装置。
【請求項２】
当板は、硬質ナイロンまたはポリエチレンであることを特徴とする請求項1記載のエレベータの主索外れ止め装置。
【請求項３】
当板は、その厚さが主索外れ止め装置本体と主索との間隔の規定値以下であることを特徴とする請求項1又は請求項2記載のエレベータの主索外れ止め装置。
【請求項４】
主索外れ止め装置本体は棒状の軸を有し、
当板は筒状であり、前期棒状軸に回転可能に設けられ、筒状部の厚さが前期主索外れ止め装置本体と主索との間隔の規定値以下であることを特徴とする請求項1又は請求項2記載のエレベータの主索外れ止め装置。
【発明の詳細な説明】
【技術分野】
【０００１】
この発明は、エレベータの主索外れ止め装置に関する。
【背景技術】
【０００２】
従来、一般にトラクション式エレベータの巻上機においては、綱車に掛け回された主索を摩擦力によって駆動することで、かごを上昇又は下降させるようになっている。また、綱車には、主索を巻き付きける溝が設けられている。
ここで、地震などの振動により主索が綱車の溝から外れようとするのを抑えるために、綱車には主索外れ止め装置を設けることとなっている。また主索とこれに対向する主索外れ止め装置との間隔は規定値以下にすることが昇降機耐震設計・施工指針などによって決められている。そして、主索外れ止め装置は、主索に対して間隔を調整できる構造となっており、その取付時には主索と主索外れ止め装置との間隔を上記規定値以下と調整した上で固定している（例えば特許文献1参照）。
【０００３】
【特許文献１】特開2004−189441号公報
【発明の開示】
【発明が解決しようとする課題】
【０００４】
従来、主索外れ止め装置は、主索に対する間隔は規定値以下で、しかも主索とは接触しない位置に調整する必要があり、調整に手間がかかる問題点があった。また主索外れ止め装置と主索との間隔は目視では規定値以下であるか判断しにくく、目視による確認が困難な場合には、例えば隙間にゲージを挿入してゲージの板厚で規定の範囲になっているかを確認する隙間確認用の治具等を別途必要とし、手間がかかるという問題点があった。
また、従来の主索はずれ止め装置では、主索外れ止め装置を主索と接触させた状態で固定すると、綱車回転時に主索が主索外れ止め装置と摩擦することとなり、主索損傷の危険が生じる問題点があった。
【０００５】
この発明は、上述のような課題を解決するためになされたもので、主索外れ止め装置の主索に対する間隔調整を簡略化し、また、単体で目視による間隔確認を不要とする主索外れ止め装置を得るものである。
【課題を解決するための手段】
【０００６】
この発明に係るエレベータの主索外れ止め装置においては、回転体と、この回転体の外周面上に設けられた溝と、この溝に巻き付けられる主索と、回転体の外周面上に主索との間隔が規定値以下となるように設けられ、地震等の振動時に主索が前記溝から外れるのを防ぐ主索外れ止め装置本体と、主索外れ止め装置本体の主索と対向する側に主索と接触するように設けられ、主索を傷つけることなく初期摩耗する非金属材料からなる当板と、を備えたものである。
【発明の効果】
【０００７】
この発明は、主索外れ止め装置本体の間隔調整を、主索外れ止め装置本体の主索と対向する側に設けられた当板を主索に接触させることで行える。
【発明を実施するための最良の形態】
【０００８】
実施の形態1．
図1はこの発明の実施の形態1におけるエレベータの主索外れ止め装置を示す側面図である。
トラクション式エレベータの巻上機の綱車1は、掛け回した複数の主索2を摩擦力によって駆動することでかご(図示せず)を昇降させるようになっている。綱車1には、複数の主索2を巻き付ける複数の溝3が設けられる。
主索外れ止め装置本体4は、地震などの振動により複数の主索2が複数の溝3から外れようとするのを抑える金属製のL字状のブラケットであり、L字の短辺は固定ネジ6により軸受台に固定され、L字の長辺4aは水平方向に延在して綱車1の外周面上で複数の主索2と対向する。また主索外れ止め装置本体4は、長辺4aと主索2との間の間隔を固定ネジ6により調整することができ、この間隔は昇降機耐震設計・施工指針などによって決められた規定値(以下間隔規定値という)以下となるように固定されている。
5は長辺4aの主索2と対向する側の面に設けられた当板で、その厚さは間隔規定値以下である。また、当板5の材質は例えば硬質ナイロン、ポリエチレン等の非金属材料で、ある程度の硬さを持ち、なおかつ複数の主索2との摩擦で主索2を損傷させることなく摩耗するものが選択される。
【０００９】
以上のように構成されたエレベータの主索外れ止め装置の作用、動作を説明する。
エレベータの据付時、図1に示すように、複数の主索2に当板5を軽く接触させた状態で主索外れ止め装置本体4を取付固定する。エレベータの使用開始後、綱車1が回転し、これに掛け回された複数の主索2が当板5を擦りながら移動する。ここで当板5は複数の主索2を損傷させること無く初期的に磨耗することにより、当板5と主索2の接触はなくなるので、主索損傷の危険を回避することができる。
【００１０】
当板5の厚さは、間隔規定値以下である為、エレベータの据付時に複数の主索2と当板5を接触させた位置で主索外れ止め装置本体4を固定すれば、必然的に複数の主索2と主索外れ止め装置本体4との間隔も間隔規定値以下となり、改めてこの間隔を目視、あるいは治具を用いて確認する必要もなくなる。
【００１１】
また、地震などにより複数の主索2が振動しながら主索外れ止め装置本体4に進入する際、非金属材料である当板5に衝突し、当板5が損傷することが考えられるが、当板5の厚みが間隔規定値以下であれば、万一当板5が損傷しても、主索外れ止め装置本体4である金属製ブラケットが、複数の主索2を外れ止めすることができる。
【００１２】
実施の形態2．
図2はこの発明の実施の形態2におけるエレベータの主索外れ止め装置を示す側面図である。図2において、同一又は相当部分には同一符号を付しているので、説明を省略する。
主索外れ止め装置本体4は、水平方向に延在して綱車1の外周面上で複数の主索2と対向する金属製の丸棒軸4bを備えている。また主索外れ止め装置本体4は、丸棒軸4bと、主索2との間の間隔を固定ネジ6により調整することができ、この間隔は間隔規定値以下となるように固定されている。7は丸棒軸4bに回転可能に設けられた筒状の当板である。この当板7の筒状部の厚さは間隔規定値以下であり、材質は例えば硬質ナイロン、ポリエチレン等の非金属材料で、ある程度の硬さを持ち、なおかつ複数の主索2との摩擦で主索2を損傷させることなく磨耗するものである。
【００１３】
以上のように構成されたエレベータの主索外れ止め装置の作用、動作を説明する。
エレベータの据付時、図2に示すように、複数の主索2に筒状の当板7の外周を軽く接触させた状態で主索外れ止め装置本体4を固定する。エレベータの使用開始後、綱車1が回転し、これに掛け回された複数の主索2が当板7を擦りながら移動することによりより筒状の当板7は回転する。また、複数の主索2を損傷させること無く初期的に磨耗することにより、当板7と主索2の接触はなくなるので、主索損傷の危険を回避することができる。
【００１４】
これにより、実施の形態1と同様の効果を得るとともに、複数の主索2の移動により、これと接触する筒状の当板7の面が回転しながら逃げる為、より複数の主索2の損傷を少なくすることができる。
【００１５】
ところで、この発明は綱車に限らず、そらせ車、吊り車など主索を巻掛けるあらゆる回転体に設けられるエレベータ用主索外れ止め装置に適用できるのはいうまでもない。
【図面の簡単な説明】
【００１６】
【図１】この発明の実施の形態1におけるエレベータの主索外れ止め装置を示す側面図である。
【図２】この発明の実施の形態2におけるエレベータの主索外れ止め装置を示す側面図である。
【符号の説明】
【００１７】
1  綱車、2  主索、3  溝、4  主索外れ止め装置本体、4a  金属製のブラケットの長辺、4b  金属製の丸棒軸、5  当板、6  固定ネジ、7  筒状の当板。
【図１】
2006335561.tif 000003
【図２】
2006335561.tif 000004